Podtech/llm-jp-corpus-v4-ja_patent huggingface dataset:
(57)【要約】【課題】  車両サスペンションアーム用スフェリカルベアリングの支持力を向上する事で、作動ガタと作動時の異音発生を防止できる、サスペンションアーム用スフェリカルベアリングの固定構造を提供する。【解決手段】  サスペンションアーム部１に、嵌合して固定されているケース２のケース内周面２ａにスフェリカルベアリングアウターレース３ａを嵌合させ、更に該スフェリカルベアリングに併設し側面が圧接して系止するカラー４を有し、装着時にケース内面壁２ｂとも密着状態で取付け可能であり、この様な固定構造とすることで該スフェリカルベアリングの支持力向上が出来、作動ガタと作動時の異音発生を防止する事ができる。【選択図】図１
0003146118.tif 000002
【実用新案登録請求の範囲】
【請求項１】
車両用のサスペンションアーム部に嵌合して固定されているケース内にスフェリカルベアリングを固定する際の構造において、該ケース内周面にスフェリカルベアリングアウターレースを嵌合させ、更に該スフェリカルベアリングに併設し側面が圧接して系止するカラーを有する事を特徴とするサスペンションアーム用スフェリカルベアリングの固定構造。
【考案の詳細な説明】
【技術分野】
【０００１】  本考案は車両サスペンションアーム用スフェリカルベアリングの固定構造に関するものである。
【背景技術】
【０００２】  従来車両用サスペンションアーム（図３中１）にスフェリカルベアリング３を固定する際は、サスペンションアーム部に嵌合して固定されているケース内周面２ａに、スフェリカルベアリングアウターレース外周面３ａを嵌合し、該ケース内面に溝を設け、該溝にスナップリング５を系止すると共に、該スナップリングを該スフェリカルベアリング側面に当接させる事により、該スフェリカルベアリング３を固定する構造が一般的であった。【０００３】  しかし、上記の如き従来のサスペンションアーム用スフェリカルベアリングの固定構造では、上記スナップリングと該スフェリカルベアリング側面の間に間隔が出来、該スフェリカルベアリングアウターレース外周面とケースの内周面との周接面によって発生する摩擦力を超える入力が発生すると、該スフェリカルベアリングの横ズレが生じ、作動ガタと作動時の異音が発生しやすかった。また上記間隔が少なくなる様な寸法設定にするほど、該スナップリングの脱着作業の作業性が悪化する。また該スナップリングで支えられる荷重は大きくなくケースの装着向きも制限されるなど問題があった。
【考案の開示】
【考案が解決しようとする課題】
【０００４】  本考案は前記従来技術の問題点を鑑がみなされたもので、簡単な構造でスフェリカルベアリングの支持力を向上する事で該スフェリカルベアリングの横ズレを防止し、作動ガタと作動時の異音発生を防止する事を目的とするものである。
【課題を解決するための手段】
【０００５】  本考案は車両用のサスペンションアーム部にスフェリカルベアリングを固定する場合であって、サスペンションアーム部に嵌合して固定されているケース内周面に、スフェリカルベアリングアウターレース外周面を嵌合させ、更に該スフェリカルベアリングに併設し側面が圧接して系止するカラーを有する事を特徴としている。
【考案の効果】
【０００６】  したがって、本考案は前記スフェリカルベアリングの横ズレ防止を前記カラー外周面と前記ケースの内周面嵌合部とで発生する摩擦力によって行え、前記スナップリングはスフェリカルベアリングの脱落防止としての使用とすることが出来た。【０００７】  結果として、従来の取付け構造に対して、本考案の取付け構造では前記スフェリカルベアリングの支持力を大幅に向上する事が可能となった。また装着時には該スフェリカルベアリングと前記カラーとを圧接状態で装着可能となり、さらにケース内面壁とも密接状態で取付ける事が容易となった。また支持力向上に伴いケースの方向性を問わず使用が可能となった。
【考案を実施するための最良の形態】
【０００８】  以下、本考案の実施形態を図面と共に詳述する。【０００９】  図１において１はサスペンションアームであり、そこにケース２が嵌合されている。更に該ケース内周面２ａにスフェリカルベアリングアウターレース３ａを嵌合させ、カラー４を圧接することで、該スフェリカルベアリングアウターレース３ａをケース内面壁２ｂと密着状態で取付け、スナップリング５にて脱落防止とし系止する。
【図面の簡単な説明】
【図１】は、本考案実施の形態を示すサスペンションアーム用スフェリカルベアリングの固定構造の説明図。
【図２】は、本考案実施の形態を示すサスペンションアーム用スフェリカルベアリングの固定構造の説明図で（ａ）は斜視図で、（ｂ）はそのＡ−Ａ矢視図。
【図３】は、従来のサスペンションアーム用スフェリカルベアリングの固定構造の説明図。
【符号の説明】
１サスペンションアーム
２ケース
２ａケース内周面
２ｂケース内周壁
３スフェリカルベアリング
３ａスフェリカルベアリングアウターレース
４カラー
５スナップリング
【図１】
0003146118.tif 000003
【図２】
0003146118.tif 000004
【図３】
0003146118.tif 000005
(57)【要約】      （修正有）【課題】ブラシ台に植えたブラシが弓形の形状に製作されている、歯を清潔にする歯ブラシを提供する。【解決手段】４列のブラシを有する歯ブラシを例に取り、中間２列のブラシの設計を弓形でそれぞれ外方向両側に伸張した形状を呈し、歯磨きの際ブラシの圧力を高めて、ブラシと歯の間の隙間を一層ぴったり合わせ、ブラシがさらに歯と歯茎の隙間をぴったり合わさることにより、完璧に歯を清潔にする効果を達成する。【選択図】図２
0003146147.tif 000002
【実用新案登録請求の範囲】
【請求項１】
ブラシを植えたブラシ台からなる歯を清潔にする歯ブラシであって、前記ブラシ台にさらに２列の弓形ブラシと前記弓形ブラシの外方向両側に植えた２列の垂直のブラシを含むことを特徴とする歯を清潔にする歯ブラシ。
【請求項２】
前記弓形ブラシは弓形でそれぞれ外方向両側に伸張した形状を呈することを特徴とする請求項1に記載の歯を清潔にする歯ブラシ。
【考案の詳細な説明】
【技術分野】
【０００１】
本考案は、歯を清潔にする歯ブラシに関し、特にブラシ台の中間の２列にプレストレス状態にある弓形ブラシを製作した歯ブラシに関する。
【背景技術】
【０００２】
図1に示すように、従来の歯ブラシのブラシ台１０は４列の垂直なブラシ１１を有するデザインで製作しており、歯と歯茎を傷めないように、一般的に従来の歯ブラシに植えられたブラシは何れも相当柔軟であるため、歯磨きの際、ブラシの歯にかかる圧力が実際不足している嫌いがあり、歯の間の隙間内の食べかすを完全に除去することができず、さらには両側のブラシもまた歯と歯茎の間の隙間に入って行って食べかすを完全に除去することができず、多くの食べかすが除去されずに長時間口腔内に残留して細菌が繁殖し歯の病気をもたらすこととなる。
【考案の開示】
【考案が解決しようとする課題】
【０００３】
これに鑑みて、本考案の主たる目的は、従来の歯ブラシの使用面での欠点を改善した改良型歯ブラシを提供することにある。
【課題を解決するための手段】
【０００４】
上記目的を解決するために、本考案に係る歯ブラシは、ブラシを植えたブラシ台からなる歯を清潔にする歯ブラシであって、前記ブラシ台にさらに２列の弓形ブラシと前記弓形ブラシの外方向両側に植えた２列の垂直のブラシを含む。
【考案の効果】
【０００５】
本考案は中間の２列のブラシを弓形状態に製作してプレストレスをかけ、歯磨きの際、弓形ブラシが歯に圧力をかける。プレストレスの作用でブラシが歯に対して大き目の圧力を生じることによって、ブラシを歯の間の隙間に完全にぴったり合わせて、全ての歯の隙間の食べかすを除去する。中間の２列の弓形ブラシは圧力により外方向に伸長し、また外方向両側のブラシをも圧迫して外方向に延伸させることによって、歯と歯茎の間の隙間に入って行って、食べかすを除去するという目的を達することができる。
【考案を実施するための最良の形態】
【０００６】
本考案の特徴を一層明確に示すために、特に具体的な好ましい実施例を挙げて以下に説明する。
【０００７】
図2に示すように、本考案は歯を清潔にする歯ブラシであって、図示するように、図１の従来のブラシ台２０に全て垂直なブラシ設計を採用しているのと比較して、本考案で開示した歯を清潔にする歯ブラシは主にブラシ台２０のブラシの中間の２列又は数列がまず弓形ブラシ２１或いはアーチ形の湾曲形状ブラシ（図１）に製作され、その湾曲の中間位置はブラシ台２０から約三分の二のところにあり（ブラシ台２０内に植え込む長さは除外する）、ブラシ台２０内に植え込むと、前記弓形ブラシ２１又はアーチ形の湾曲形状ブラシの方向は、ブラシ台２０の中心線を基線として、それぞれ左右両側外方向に成形される。これに対して、弓形ブラシ２１の外方向両側は垂直なブラシ２２の設計を維持する。
【０００８】
こうした構成により、図3に示すように、本考案で開示した歯は目下市販されている歯ブラシの欠点を改善することができ、本考案の独創は各々外方向両側に伸長した弓形ブラシ２１で、歯磨きの際のブラシの圧力を高めて、弓形ブラシ２１が歯３０の間の隙間に一層ぴったり合わせられるだけでなく、垂直なブラシ２２が歯と歯茎の間の隙間２３に一層ぴったり合わさって、食べかすを除去することによって、完全に歯を清潔にする効果を達成し、細菌が繁殖して歯の病気をもたらす状況を効果的に回避する。
【０００９】
以上の記述は本考案の好ましい実施例に過ぎず、これをもって本考案の実施範囲を限定するものではなく、およそ本実用新案登録請求の範囲において行った均等な変化若しくは修飾についても、全て本考案の範囲内とする。
【図面の簡単な説明】
【００１０】
【図１】従来のブラシ台の横断面図である。
【図２】本考案のブラシ台の横断面図である。
【図３】本考案で製作した歯ブラシで歯を磨く際、中間の弓形ブラシが歯の上で形成される圧力と両側の垂直なブラシが歯と歯茎の間の隙間にあることを示した分布図である。
【符号の説明】
【００１１】
２０  ブラシ台
２１  弓形ブラシ
２２  垂直なブラシ
２３  歯と歯茎の間の隙間
３０  歯
【図１】
0003146147.tif 000003
【図２】
0003146147.tif 000004
【図３】
0003146147.tif 000005
(57)【要約】      （修正有）【課題】その表面に２回目の酸化防止処理を行う必要がなく、ピンに半田付けを行う際、ピンおよび回路基板上に半田を容易に付着させることができるボビンピン構造を提供する。【解決手段】ボビンピン構造は、表面が酸化防止処理された素材テープ３上に複数のボビンが接続され、素材テープ３は、複数のリードピン３１を介してボビン４と接続され、複数のリードピン３１は、プレス切断された後に屈曲されたピン４１に形成され、複数のボビン４と素材テープ３とを分離させるボビンピン構造において、ピン４１が先鋭化された遊端４２にプレス成形される。【選択図】図４
0003146173.tif 000002
【実用新案登録請求の範囲】
【請求項１】
表面が酸化防止処理された素材テープ上に複数のボビンが接続され、前記素材テープは、複数のリードピンを介して前記ボビンと接続され、前記複数のリードピンは、プレス切断された後に屈曲されたピンに形成され、前記複数のボビンと前記素材テープとを分離させるボビンピン構造において、
前記ピンが先鋭化された遊端にプレス成形されることを特徴とするボビンピン構造。
【考案の詳細な説明】
【技術分野】
【０００１】
本考案は、ボビンピン構造に関し、特に、ピンの遊端の断面の露出面積を最小限に抑えるとともに、ピン断面の酸化面積を低減させることにより、その表面に２回目の酸化防止処理を行う必要がない上、ピンを半田付けするとき、ピンおよび回路基板上に半田材料を容易に付着させることが可能なボビンピン構造に関する。
【背景技術】
【０００２】
図１〜図３を参照する。図１〜図３に示すように、表面が酸化防止処理された素材テープ（ｍａｔｅｒｉａｌ  ｔａｐｅ）２上に複数のボビン（ｂｏｂｂｉｎ）１が接続されている。素材テープ２は、複数のリードピン２１を介してボビン１と接続され、これらリードピン２１は、プレス切断された後に屈曲されたピン１１に形成され、ボビン１と素材テープ２とを分離させる。上述の工程により単体のボビン１を製造すると、従来のボビン１のピン１１が切断された後に、半田が塗布される断面面積が僅か３分の１であるため、半田付けされていない３分の２の部分が酸化しやすかった。そのため、ピン１１が酸化されて回路基板上に半田付けできなくなることを防ぐために、それらピンの表面に酸化防止処理を再び行う必要があった。しかし、この場合、それに伴い必要な人的コストおよび材料コストが増大することがあった。そのため、ピン１１の断面の半田付けされない部分を最小限に抑えることができる場合、ピン１１の断面酸化面積が低減され、その表面に２回目の酸化防止処理を行う必要がなくなる上、ピンを半田付けする際に、ピンおよび回路基板上に半田を容易に付着させることができるようになる。
【考案の開示】
【考案が解決しようとする課題】
【０００３】
本考案は、上記に鑑みてなされたものであって、ピンの遊端の断面露出面積を最小限に抑え、ピンの断面酸化面積を低減させることにより、その表面に２回目の酸化防止処理を行う必要をなくし、ピンが半田付けされるときに、ピンおよび回路基板上に半田を容易に付着させることができるボビンピン構造を提供することを目的とする。
【課題を解決するための手段】
【０００４】
上記課題を解決するために、本考案に係るボビンピン構造は、表面が酸化防止処理された素材テープ上に複数のボビンが接続され、前記素材テープは、複数のリードピンを介して前記ボビンと接続され、前記複数のリードピンは、プレス切断された後に屈曲されたピンに形成され、前記複数のボビンと前記素材テープとを分離させるボビンピン構造において、前記ピンが先鋭化された遊端にプレス成形されることを特徴とする。
【考案の効果】
【０００５】
以上のように、本考案に係るボビンピン構造は、ピンの遊端の断面露出面積を最小限に抑え、ピンの断面酸化面積を低減させることにより、その表面に２回目の酸化防止処理を行う必要をなくし、ピンが半田付けされるときに、ピンおよび回路基板上に半田を容易に付着させることができる。
【考案を実施するための最良の形態】
【０００６】
図４から図６を参照する。図４から図６に示すように、素材テープ３上に複数のボビン４を接続する。素材テープ３は、複数のリードピン３１によりボビン４と接続される。リードピン３１には、プレスされた後に屈曲された複数のピン４１が形成される。各ピン４１は、その表面に酸化防止処理が行われた後、最後の切断を行い、ボビン４と素材テープ３とを分離させる（図５に示す）。その後、ピン４１を先鋭化された遊端４２にプレス成形する。
【０００７】
上述の各工程で製作された単体のボビンにより、本実施形態のボビン４のピン４１が切断されると、その遊端４２の断面積が従来のボビンピンの僅か３分の１となり、ピン４１の遊端４２の面積が小さいため、その断面が半田で覆われる面積は２分の１となる。本実施形態のピン４１の遊端４２に形成される断面積は２分の１であり、半田がメッキされる面積も従来のボビンピンの僅か３分の１となるため、ピン４１の遊端４２の断面露出面積を最小限に抑え、ピンの酸化断面積を低減させることができる。そのため、その表面には、２回目の酸化防止処理を行う必要がなく、ピンの半田付けを行う際、ピンおよび回路基板上に半田を容易に付着させることができる。
【０００８】
なお、本考案は、上記実施の形態に限定されるものではなく、請求項に示した範囲で種々の変更が可能である。すなわち、請求項に示した範囲で適宜変更した技術的手段を組み合わせて得られる実施の形態についても本考案の技術的範囲に含まれる。
【図面の簡単な説明】
【０００９】
【図１】従来のボビンを製作するときの状態を示す斜視図である。
【図２】従来のボビンを製作するときの状態を示す斜視図である。
【図３】図２の拡大図である。
【図４】本考案の一実施形態によるボビンを製作するときの状態を示す斜視図である。
【図５】本考案の一実施形態によるボビンを製作するときの状態を示す斜視図である。
【図６】図５の拡大図である。
【符号の説明】
【００１０】
１    ボビン
１１  ピン
２    素材テープ
２１  リードピン
３    素材テープ
３１  リードピン
４    ボビン
４１  ピン
４２  遊端
【図１】
0003146173.tif 000003
【図２】
0003146173.tif 000004
【図３】
0003146173.tif 000005
【図４】
0003146173.tif 000006
【図５】
0003146173.tif 000007
【図６】
0003146173.tif 000008
(57)【要約】      （修正有）【課題】曲面へ焼印を押す際、押された焼印の焦げに偏りが出来ないよう工夫した焼き鏝を提供する。【解決手段】焼き鏝１は、熱を発生する発熱部２と、印字体５、印面６、伝熱棒４で構成された鏝部３から成り、印面６を熱してから印字したい箇所に押し付けて使用する。印面６の形状が曲面になっており、曲面への焼印も偏りなく印字できる。【選択図】図１
0003146177.tif 000002
【実用新案登録請求の範囲】
【請求項１】
菓子に焼印を施す焼き鏝において、鏝の印面６の形が曲面であることを特徴とする焼き鏝。
【請求項２】
前記印面６を備えた印字体５が、着脱可能としたことを特徴とする請求項１に記載の焼き鏝。
【請求項３】
前記曲面の形状が、扇形であることを特徴とする請求項１に記載の焼き鏝。
【考案の詳細な説明】
【技術分野】
【０００１】
本考案は、加工食品や菓子などへ鏝を用いて焼印する際、曲面に於いても平面と同様に焼印を押すことのできる器具に関するものである。
【背景技術】
【０００２】
従来、焼き鏝を用いて製品へ焼印を押す際、焼き鏝自体は平面であるため、平面への焼印には焦げ目の偏りができることはあまりなかった。しかし、曲面へ焼印をする際には、曲面の頭頂部と他での焦げ目のつき方に偏りが生じるといった欠点があった。従来品では、焼きゴテ及び焼印方法のようなものが知られている(特許文献１参照)。これは半田ゴテの先端の印字部を付け替えることができる物で、印字部に色を付けられるような工夫を凝らした物であった。また、曲面に印字する方法としては、菓子、菓子の焼印形成方法、及び菓子の焼印形成装置があり(特許文献２参照)、これは熱した印字板の上にバウムクーヘンを転がして印字する方法で、曲面に綺麗な印字が可能である。両者とも見栄えを良くして購買意欲を上昇させる為の発明であった。
【０００３】
【特許文献１】特開2002-172891号公報
【特許文献２】特開2005-102630号公報
【考案の開示】
【考案が解決しようとする課題】
【０００４】
上記特許文献１に開示された焼きゴテは、半田ゴテの先端に印字部を取り付けて使用する物であるが、文献の焼きゴテでは曲面に対しても均一に焼印を押すことは難しく、頭頂部だけに焦げができてしまい、焼印に偏りが生じてしまうという欠点があり、綺麗に見えなかった。また上記特許文献２の焼印形成装置では綺麗に印字できるが大掛かりな装置が必要となる点と、ひとつの製品にしか使えなく応用が利かない為、何処にでも押印できる汎用性と小型化を図る必要があった。
【０００５】
商品へ焼印を押す際は、曲面へも満遍なく焼印の焦げ跡がついていたほうが綺麗に見えるため、購買意欲を掻き立てられる。
本発明は、曲面に於いても均等に焼印を押すことのできる器具の提供を目的とする。
【課題を解決するための手段】
【０００６】
上記目的を達成すべく、本発明の焼き鏝は、焼印の印字箇所が曲面であっても満遍なく焦げ跡を残せるように、鏝側の印面の形を曲面としている。印字箇所が曲面であっても印面の曲面を印字箇所の曲面へ沿わせるように印面全体を印字箇所へ押し付けることで、綺麗な焦げ跡を印字箇所に残せる。
ここで、印面を備えた印字体は着脱可能とされることが好ましい。印字する文字体を交換できるようにするためである。また、曲面の形状は扇形であることが好ましい。
【考案の効果】
【０００７】
焼き鏝の印字部は様々にデザインできる。印字部を付け替えることで色々な場所に色々な文字又は絵を印字する事が可能である。
曲面にも均等に焼印を押せる事で印字箇所の焦げ跡が綺麗に見え、商品の見栄えが良くなる。焼印を押された商品が綺麗に見え、購買意欲を向上させることができる。
【考案を実施するための最良の形態】
【０００８】
以下、本考案の実施形態について説明する。
【０００９】
図１に実施形態の焼き鏝外観図を示す。図１に示されるように、焼き鏝１は、発熱部２、鏝部３、鏝部３の伝熱棒４を発熱部２に固定する押さえネジ７ａ、７ｂで構成されている。鏝部３は、伝熱棒４、印字体５、印面６により構成されている。
【００１０】
伝熱棒４と印字体５には熱伝導の良い金属を使用し、発熱部２で生じた熱を印面６に伝える。熱せられた印面６を印字する箇所へ一定時間押し当てると焼印を付けることができる。
【００１１】
印字体５は横から見ると扇形をしており、扇で言うところの天の部分が印面６となる（図３参照）。印面６には印字される文字が彫られている。違った文字の彫られた印面６を持つ鏝３を複数作っておくと、鏝部３を付け替えることで焼印する文字を変えることができる。
鏝部３の付け替えは、押さえネジ７ａ、７ｂを緩める事で伝熱棒４を発熱部２から切り離す事ができる。図２（１）は装着時、図２（２）は押さえネジ７ａ、７ｂを取り外し、鏝部３も取り外した状態である。
【００１２】
図４では使用時図を示す。使用時は十分に印面６を熱した後、印面６を印字箇所に当て、印字箇所から離れないように印面６を印字箇所に沿わせたまま矢印方向へ回すように全体を押し付けて使用する。
印面６を印字箇所に押し付ける時は、一定箇所だけが焦げすぎないように押し付ける時間を一定にする。
一定時間で印面６を押し付ける事により、印字箇所が曲面の場合でも綺麗に印字する事ができる。
【産業上の利用可能性】
【００１３】
本考案の焼き鏝によれば、焼き菓子や和菓子等に焼印を押す際、焼印予定箇所が曲面であっても偏りなく焼印を押す事ができる。
【図面の簡単な説明】
【００１４】
【図１】実施例の焼き鏝の全体図
【図２】（１）実施例の焼き鏝の構成図  （２）実施例の焼き鏝の鏝部取り外し図
【図３】印字部の拡大図
【図４】実施例の焼き鏝使用イメージ図
【符号の説明】
【００１５】
１    焼き鏝
２    発熱部
３    鏝部
４    伝熱棒
５    印字体
６    印面
７ａ  押さえネジａ
７ｂ  押さえネジｂ
【図１】
0003146177.tif 000003
【図２】
0003146177.tif 000004
【図３】
0003146177.tif 000005
【図４】
0003146177.tif 000006
(57)【要約】      （修正有）【課題】スコアカードの文字の拡大に適し、より簡便な拡大鏡付きゴルフマーカーを提供する。【解決手段】光透過性の材料を使い、円盤形状の中央部を凸レンズにすることで、構造を複雑にすることなく拡大鏡機能を付加することができる。老眼鏡、拡大鏡等ゴルフのプレーに直接関係ない道具を用意する必要が無くなり、ズボンのポケット等に入れてプレー中には常に持ち歩くマーカーとして使うことで、いつでもすぐに取りだせ、スコアカード記入時の文字の読みにくさを簡単に解消する事ができる。また、他の人が書いたスコアカードをチェックする時にも利用できる。【選択図】図１
0003146122.tif 000002
【実用新案登録請求の範囲】
【請求項１】
光透過性の材料からなり、円盤形状の中央部を凸レンズにすることで、拡大鏡機能を付加したことを特徴とするゴルフマーカー。
【考案の詳細な説明】
【技術分野】
【０００１】本考案は、ゴルフマーカーに関する。
【背景技術】
【０００２】拡大鏡機能付きゴルフマーカーとして、特許文献１〜２に記載のものが知られている。特許文献１に記載のゴルフマーカーでは、レンズはマーカー本体とは別部品として装着し収納されており、拡大鏡使用時の利便性の向上は未だ不十分であった。特許文献２に記載のゴルフマーカーでは、芝に差し込む足があるため、スコアカードの文字の拡大には不十分であった。
【特許文献１】特開２００７−０８２９８６
【特許文献２】実開平０６−０５５６６９
【考案の開示】
【考案が解決しようとする課題】
【０００３】年輩のゴルファーになるとスコアカードの小さな文字が見づらくなる。老眼鏡もしくは拡大鏡を持ち歩いたり、ゴルフバッグ等から取り出すのは手間がかかる。そこで、ゴルフプレー中に常に持ち歩き、グリーン上でボール位置を示すマーカーに拡大鏡機能があれば、スコアカード記入時に手軽に利用することができる。また、他の人が書いたスコアカードをチェックする時にも利用できる。従来の拡大鏡機能付きマーカーは、もっぱら芝目を読むことを目的としているが、本考案は、スコアカードの文字の拡大に適し、より簡便な拡大鏡付きゴルフマーカーを提供することを目的とする。
【課題を解決するための手段】
【０００４】光透過性の材料からなり、円盤形状の中央部を凸レンズにすることで、拡大鏡機能を付加したことを特徴とするゴルフマーカー。
【考案の効果】
【０００５】老眼鏡、拡大鏡等ゴルフのプレーに直接関係ない道具を用意する必要が無くなり、ズボンのポケット等に入れてプレー中には常に持ち歩くマーカーとして使うことで、いつでもすぐに取りだせ、スコアカード記入時の文字の読みにくさを簡単に解消する事ができる。また、他の人が書いたスコアカードをチェックする時にも利用できる。【０００６】単一素材の簡易構造で可動部分がなく壊れにくい。
【考案を実施するための最良の形態】
【０００７】本考案に係るゴルフマーカーは、平面図で見て中央部に凸レンズを持つ。図１、２に示すように、周辺部を多面カット形状にすることで、光透過性の材料を使うことによるグリーン上での目立ちにくさを解消することができる。【０００８】光透過性の材料は、マーカーとして必要な重量および傷付きにくさ並びに多面カットした周辺部の光の反射具合から、ガラスが最も優れている。
【図面の簡単な説明】
【０００９】
【図１】本考案に係るゴルフマーカーの平面図である。
【図２】本考案に係るゴルフマーカーの正面図である。
【図１】
0003146122.tif 000003
【図２】
0003146122.tif 000004
(57)【要約】      （修正有）【課題】腹巻にベルトを取り付けることで、トイレなどでの着脱の不便さの解消と男性でも女性でも普段から着用できる骨盤ベルト付き腹巻を提供する。【解決手段】腹巻の本体後中心部分７左右に取り付けた、補助ベルト１が、脇をとおり、前中心でかぎホック２，３または面ファスナーで接続し、腹巻にベルトが付いた事を特長とする。【選択図】図１
0003146121.tif 000002
【実用新案登録請求の範囲】
【請求項１】
腹巻の本体後中心部分（７）左右に取り付けた、補助ベルト（１）が、脇をとおり、前中心でかぎホック（２）（３）または面ファスナーで接続することを特長とする骨盤ベルト付き腹巻
【考案の詳細な説明】
【考案の詳細な説明】
【技術分野】
【０００１】本考案は、メタボリック症候群対策及び骨盤矯正に寄与する腹巻の応用に関するものである。
【在来の技術】
【０００２】    現在、メタボリック症候群や骨盤のゆがみによる頭痛や腰痛が社会問題化している。その中で近年生活習慣病の改善のための、メタボ検診が実施されている。しかしこれだけの問題が叫ばれながら、普段から衣類として着用して、メタボリック症候群や骨盤のゆがみが起きないように予防したり、改善したりするものは非常に少なかった。
一部そのようなコンセプトの商品も存在し、補正下着として人気であり、ガードルやウエストニッパ、ボディースーツなどがそういった部類に入る。
しかしながらこれらの商品は非常に高価で、締め付けがとても強く、トイレ等での着脱も大変なため一般の人が常時着用するのは困難であった。
さらにガードルにベルトが付いた商品は、従来から存在したが、着脱の不便さとガードルを男性は履かないという事などから、あまり普及はしていなかった。
【考案が解決しようとする課題】
【０００３】これらの骨盤矯正ガードル・ベルト等は、様々なメーカーから健康衣料として販売されてはいが、トイレ等での着脱が大変で締め付け感も強く、一般の人が常時着用するのは困難で、あまり普及はしていない。
【課題を解決する為の手段】
【０００４】本考案は一般的に着脱が簡単で慣行化されている腹巻を利用して、本体後中心部分（７）左右に取り付けた、補助ベルト（１）が、脇をとおり、前中心でかぎホック（２）（３）または面ファスナーで接続することを特長とする骨盤ベルト付き腹巻
【考案の効果】
【０００５】▲１▼  腹巻着用後のお腹の部分を、補助ベルト（１）で二重に押さえるため、メタボリック症候群対策になる。
▲２▼  腹巻本体に、本格的な骨盤補正ベルト（１）が付いているため本格的な骨盤補正が可能
▲３▼  腹巻以外のウエストニッパにも本発明が応用できる。
▲４▼  腹巻の応用なのでトイレなどでの、着脱の不便さが解消できる。
▲５▼  デザインや加工方法が容易であるから、大量生産が出来るメリットがある。
【図面の簡単な説明】
【図１】本考案の骨盤ベルト付き腹巻、正面図である。
【図２】本考案の骨盤ベルト付き腹巻、背面図である。
【図３】本考案の骨盤ベルト付き腹巻の補助ベルトをはずした正面図である。
【図４】本考案の骨盤ベルト付き腹巻の補助ベルトをはずした背面図である。
【図５】本考案の骨盤ベルト付き腹巻、裏正面図である。
【図６】本考案の骨盤ベルト付き腹巻、裏背面図である。
【図７】本考案の骨盤ベルト付き腹巻、着用時、正面図である
【図８】本考案の骨盤ベルト付き腹巻、着用時、背面図である。
【符号の説明】
１  骨盤ベルト付き腹巻の補助ベルト
２  フックアイ（メスかぎ）
３  フックアイ（オスかぎ）
４  ゴムベルト
５  骨盤ベルト付き腹巻本体前中心布
６  骨盤ベルト付き腹巻本体前脇布
７  骨盤ベルト付き腹巻本体後中心布
８  骨盤ベルト付き腹巻本体後脇布
９  骨盤ベルト付き腹巻本体裾ゴム
【図１】
0003146121.tif 000003
【図２】
0003146121.tif 000004
【図３】
0003146121.tif 000005
【図４】
0003146121.tif 000006
【図５】
0003146121.tif 000007
【図６】
0003146121.tif 000008
【図７】
0003146121.tif 000009
【図８】
0003146121.tif 000010
(57)【要約】      （修正有）【課題】歯間又は歯の頚部に繁殖する口腔内細菌のバイオフィルムを歯の根面形状に関わらず、凹面の湾曲部まで細繊維糸で的確に除去し掃除するデンタルフロス及びそのデンタルフロスを用いた歯間清掃具を提供する。【解決手段】細繊維糸３の軸方向周囲の適宜位置より不規則或いは規則的な角度を有して極細繊維を起毛４させ、それら細繊維糸３を束ねてなることを特徴とするデンタルフロス。【選択図】図２
0003146130.tif 000002
【実用新案登録請求の範囲】
【請求項１】
細繊維糸の軸方向周囲の適宜位置より不規則或いは規則的な角度を有して極細繊維を起毛させ、それら細繊維糸を束ねてなることを特徴とするデンタルフロス。
【請求項２】
軸方向に対して角度２０°〜１６０°の範囲で起毛させてなることを特徴とする請求項１記載のデンタルフロス。
【請求項３】
請求項１又は２のデンタルフロスを二股枝の先端間に架け渡してなることを特徴とするデンタルフロスを用いた歯間清掃具。
【考案の詳細な説明】
【技術分野】
【０００１】
本考案は、歯間又は歯の頚部に繁殖する口腔内細菌のバイオフィルムを歯の根面形状に関わらず、凹面の湾曲部まで細繊維糸で的確に除去し掃除するデンタルフロス及びそのデンタルフロスを用いた歯間清掃具に関するものである。
【背景技術】
【０００２】
食べ物を噛むことによって隙間に栄養分や食物残滓等が詰まったり挟まったりして歯茎部にストレスがかかる。栄養分や食物残滓等はバクテリアの成長に良好な条件を与えるし、口臭及び歯茎部を傷つける原因になっている。
【０００３】
これら歯の間に入り込んだ栄養分や食物残滓等は、口腔内細菌により食後数分で、腐敗しつつ細菌バイオフィルムの粘着、固着を促進し、就寝までにプラーク（歯垢）という厚みのあるバイオフィルムに成長してしまう。そのプラークの厚みの内部には嫌気性細菌の歯周病菌が増えている。
従って、食後の的確なタイミングで、早期に歯の間にある成長前のバイオフィルムを掃除することで、プラークになることを防止するプラークコントロールを行うことができ、就寝前のオーラルケアの効果を高めることが確認されている。昼間のプラークコントロールによって、就寝６時間の間に磨き残しのバイオフィルムの成長を少なくし、翌朝の少ないプラークはオーラルケアの効果を確実にし、２４時間の持続したプラークコントロールが達成できることになる。
【０００４】
プラークコントロールとは、２４時間に渡って持続的にプラークの発生を抑え、バイオフィルムの繁殖をコントロールすることである。特に飲食等により噛むことによるクリーニングの無い状態となる、就寝後の６時間に及ぶ持続したプラーク発生を抑えることが大切なこととなる。そのため就寝前のオーラルケアが効果的であり、食後の歯の間の隠れプラークの掃除を行うデンタルフロスによるプラークコントロールが重要となる。
【特許文献１】特開２００５−２２４５７３号公報
【特許文献２】特開２００７−２１５７０３号公報
【考案の開示】
【考案が解決しようとする課題】
【０００５】
上記２４時間プラークコントロールを達成するために、近年、デンタルフロスとして細い繊維の数十本を束にした糸楊枝が使用され歯間の栄養分や食物残滓等の除去が行われている。しかし、これらの糸は、歯の根面の形状を考慮していないので、特に小臼歯からの奥歯は歯の間に隠れる隣接根面は多くの場合歯の解剖形態では中央根面が凹んでおり、健康であれば隠れている根面の凹面は、歯の間の歯肉炎の発生で、１０年程度で根面露出の状態になる。歯の間に根面凹面が発生し、プラークの温床となり、歯周病の進行を加速させてしまう。思春期などの期間に歯肉炎があると、歯の間の支持骨である歯槽骨頂の部分が吸収で下がり始めることになる。この凹んだ根面のバイオフィルムを従来のデンタルフロスでは的確に掃除し除去することが不可能という問題点があった。そのために、老年期までに徐々に凹んだ部分の歯周病が進行するという結果に陥っていた。
【課題を解決するための手段】
【０００６】
本考案は、上記欠点を解決したもので、細繊維糸の軸方向周囲の適宜位置より不規則或いは規則的な角度を有して極細繊維を起毛させ、それら細繊維糸を束ねてなるデンタルフロスを特徴とする。
【０００７】
また、軸方向に対して角度２０°〜１６０°の範囲で起毛させてなるデンタルフロスを特徴とする。
【０００８】
更に、デンタルフロスを二股枝の先端間に架け渡してなる歯間清掃具を特徴とする。
【考案の効果】
【０００９】
本考案は、極細繊維を起毛した細繊維糸を使用することにより歯間の凹凸面に残存している栄養分や食物残滓等を残さず除去することができ、且つ効率良く除去することができるので、歯肉や歯根を痛めることなく清掃効果を高めることを可能とした。
【考案を実施するための最良の形態】
【００１０】
以下、本考案の実施の形態について図面を参照して説明する。
【実施例】
【００１１】
図１は、本考案のデンタルフロスを示すもので、ナイロン繊維やポリテトラフルオロエチレン（ＰＴＦＥ）モノフィラメントヤーン等を材料とした５０〜５００μｍ径の細径の繊維糸１を、その軸方向周囲の適宜位置より規則的な角度、軸方向に対して角度２０°〜１６０°の範囲で、適宜長さを有して極細繊維を起毛２させたものである。
【００１２】
図２は、上記同様の細繊維糸３を、その軸方向周囲の適宜位置より不規則な角度と長さを有して極細繊維を起毛４させたものである。
【００１３】
図３は、把持部５の一方端側に二股の枝６、６を設け、該枝６、６の先端間に上記細繊維糸１、３を架け渡したものである。
【図面の簡単な説明】
【００１４】
【図１】本考案のデンタルフロスの一実施例の側面図。
【図２】本考案のデンタルフロスの他の実施例の側面図。
【図３】本考案のデンタルフロスを用いた歯間清掃具の斜視図。
【符号の説明】
【００１５】
１          繊維糸
２          起毛
３          繊維糸
４          起毛
５          把持部
６          枝
【図１】
0003146130.tif 000003
【図２】
0003146130.tif 000004
【図３】
0003146130.tif 000005
(57)【要約】      （修正有）【課題】ソフトダーツの先に取り付けるティップ（樹脂製の針形状部品）を１つずつ順に且つ簡単に一本ずつ取り出し可能とするティップケースを提供する。【解決手段】円筒形の底面から内部をくり抜いた本体１と中央をくり抜いた柔軟シート４と同様に中央をくり抜いた蓋５で、柔軟シートを挟み込んだケース構造とし円筒状の上部には横穴が開けられていて、ストラップなどで吊り下げる。【選択図】図１
0003146136.tif 000002
【実用新案登録請求の範囲】
【請求項１】
円錐形の底面から内部をくり抜いた本体と中央をくり抜いた柔軟シートと同様に中央をくり抜いた蓋で、柔軟シートを挟み込んだケース構造で円錐状の上部には横穴が開けられていて、ストラップなどで吊り下げる為に設けられた穴であることを特徴とするソフトダーツティップケースである。
【考案の詳細な説明】
【技術分野】
【０００１】
ソフトダーツの矢先に取り付けてあるティップティップケースに関する。
【背景技術】
【０００２】
ソフトダーツの先に取り付けるティップ（樹脂製の針形状部品）を１つずつ順に且つ簡単に取り出し可能にする技術。
【考案の開示】
【考案が解決しようとする課題】
【０００３】
蓋を開け取り出す従来の形では、必要以上の本数が出てしまう。片手で扱う事は困難である。また、ねじ込み部分を利用したホルダータイプではネジを緩めるという作業が必要である。
【課題を解決するための手段】
【０００４】
本考案は、取り出し方法の簡素化  。（図４）蓋を開けずに出し入れする事が可能
必要な本数を確実に引き抜くだけの簡単な動作で扱う事を可能にする。そして、重力と振動を利用する事で常時（図４）取り出し口には次の１本が待機する構造である。
【考案の効果】
【０００５】
取り替え時間の短縮。ねじ込みではないので引き抜くだけの最小限で取り出せる事はダーツの大会、試合中には重要な事である。
【考案を実施するための最良の形態】
【０００６】
（図１）円筒状の金属又は、樹脂をくり抜き（図２）柔軟シートを（図４）蓋で挟み込む形である。
【実施例１】
【０００７】
（図１）円筒状をくり抜いた構造でティップのみを出し入れする事と、必要な本数を引き抜く事が簡単にできるケース。（図２）柔軟シートを、（図４）蓋で挟み込む取り出し口を地面に向け、重力及び振動を利用しティップが途中まで出る事を目的とする。また、（図４）取り出し口からティップを引き抜いた後次のティップが重力及び振動で（図４）途中まで出る。（図３）スペーサーを組み込む事で円滑にさせる。段差に角度を付けない事で詰まりを軽減、分散を目的とする。最後のティップまで同様に繰り返して使う事ができる。補充は（図４）蓋を開けず引き出し方の逆手順押し込む事で対応し蓋を開けずに出し入れできるケース重力を利用した内部構造である。
【産業上の利用可能性】
【０００８】
ゲームとかスポーツ用品業界で利用できる。
【図面の簡単な説明】
【０００９】
【図１】本考案の断面図
【図２】柔軟シートの平面図
【図３】柔軟シートの図２のAーA線 断面図
【図４】スペーサーの平面図
【図５】スペーサーの図４のBーB線  断面図
【図６】蓋の平面図
【符号の説明】
【００１０】
１  本考案であるケース
２  ケース本体
３  スペーサー
４  柔軟シート
５  蓋
【図１】
0003146136.tif 000003
【図２】
0003146136.tif 000004
【図３】
0003146136.tif 000005
【図４】
0003146136.tif 000006
【図５】
0003146136.tif 000007
【図６】
0003146136.tif 000008
(57)【要約】      （修正有）【課題】複数の情報を一つの紙にまとめて記載し、折りたたむことで市販ファイルに収納できる規定サイズになるようにし、立体として立てて使用できるパーティー用の折りたたみ式ペーパーアイテムを提供する。【解決手段】ａ面は席札の要素を持つため、着席者の名前などを記載する。ｄとｅで山折りしｃ面を内側に折り込む事により、ａ面が表紙、ｂ面が裏表紙となり、立てて使用できる。ａ面を開くと、ａ面の内側とｃ面が見える。ｃ面を開くと、ｂ面の裏面とｃ面の裏側が見える。【選択図】図３
0003146104.tif 000002
【実用新案登録請求の範囲】
【請求項１】
席札や席辞表、およびメニューやプロフィールや写真、および挨拶や御礼文などの内容が一枚の紙にまとめて記載されており、折りたたむ事で市販ファイルに収納できる規定サイズになり、立体として立てて使うこともできるペーパーアイテム。
【考案の詳細な説明】
【技術分野】
【０００１】  様々な情報を一枚にまとめた折りたたみ式ペーパーアイテムに関する
【背景技術】
【０００２】  現在、法事や披露宴、パーティーなどの催しなどで使用されている席札、席辞表、プロフィール、メニュー表、挨拶文や御礼文、連絡事項などの情報は、それぞれの記載内容の量に応じた紙のサイズで、それぞれ独立して作成され使用されるのが一般的である。
【考案の開示】
【考案が解決しようとする課題】
【０００３】  しかしながら、上記方法によると印刷や出力のコストがかかるため環境に良くないうえに、会場準備にも手間と時間がかかる。また、独自のペーパーアイテムを会場に持ち込もうとすると、各ペーパーアイテムの部数に応じて持ち込み料金が発生するのが一般的であり、種類と部数が多いほど余分なコストがかかる。そのため、主催者がオリジナリティを出しにくい状況であると言える。また、受け取る側としては、サイズがまちまちのペーパーアイテムは扱いにくく、紛失などによる個人情報などの漏洩の危険がある。また、保管しにくいため捨てられてしまう可能性も高いといえる。
そこで、時間とコストの削減になり、飾りやすく保管しやすいペーパーアイテムを考案する。
【課題を解決するための手段】
【０００４】  以上の課題を解決するために、複数の情報を一つの紙にまとめて記載し、折りたたむことで市販ファイルに収納できる規定サイズになるようにし、立体として立てて使用できるようにする。
【考案の効果】
【０００５】  一枚の紙に情報をまとめて記載することにより、製作や会場準備などの時間を抑え、印刷コストを削減することができる。また、作成にかかる機械の運転時間は減り、紙やインク資源の節約にもつながるため環境にも優しいと言える。さらには、持ち込み料などの部数に応じた料金の割り増しを抑えることができ、そのぶんオリジナリティを気軽に表現しやすい状況になると言える。また、折り目を利用して立て、立体として飾ることも出来るほか、扱いやすく、折りたたむと市販ファイルに収納できる規定サイズになるため、保存に適した形状になり、紛失を少なしくし、受け取る側も保管しやすくなる。
【考案を実施するための最良の形態】
【０００５】  実施形態を図３に示す。
ａ面は席札の要素を持つため、着席者の名前などを記載する。ｄとｅで山折りしｃ面を内側に折り込む事により、ａ面が表紙、ｂ面が裏表紙となり、立てて使用できる。ａ面を開くと、内側のｆ面とｃ面が見える。ｃ面を開くと、ｇ面とｈ面が見える。
【実施例１】
【０００６】アクセントに、ラインストーンや造花などを設けても良い。
【実施例２】
【０００７】記載内容とレイアウトは、パーティーや催しに合わせて変更しても良い。
【図面の簡単な説明】
【０００８】
【図１】  この考案の外面の印刷および出力例を示す図である
【図２】  この考案の内面の印刷および出力例を示す図であり、図１を水平方向に反転させたものである。
【図３】  この考案の折り・立体使用時の形態を示す図である。
【符号の説明】
【０００９】  ａ  席札表記例
ｂ  日付表記例
ｃ  メニュー表記例
ｄ  山折線
ｅ  山折線
ｆ  挨拶文表記例
ｇ  プロフィール表記例
ｈ  御礼・住所・などの表記例
【図１】
0003146104.tif 000003
【図２】
0003146104.tif 000004
【図３】
0003146104.tif 000005
(57)【要約】【課題】装飾性を損なうことなく所有者を容易に区別することの可能なブレスレットを提供する。【解決手段】ブレスレット１００は、天然石または人工石からなる複数の玉２０および３０を連結して構成される。玉のうち、１つの玉３０の表面上には文字表示が施され、姓や名、好みの文字等を彫刻または印刷する。これにより、ブレスレット１００の所有者が誰であるかを容易に区別することができる。【選択図】図１
0003146153.tif 000002
【実用新案登録請求の範囲】
【請求項１】
天然石または人工石または木材からなる複数の玉を連結して構成されるブレスレットにおいて、
前記玉のうち１つの表面上に文字が表示されることを特徴とするブレスレット。
【請求項２】
請求項１に記載のブレスレットにおいて、
前記複数の玉が各々貫通孔を有し、前記貫通孔に挿通された伸縮性を有する紐体により環状に連結されることを特徴とするブレスレット。
【請求項３】
請求項１または２に記載のブレスレットにおいて、
前記複数の玉のうち所定の位置に配置された玉が異なる大きさおよび／または色を有することを特徴とするブレスレット。
【考案の詳細な説明】
【技術分野】
【０００１】
本考案は、宝飾品として手首に装用するブレスレットに係る。
【背景技術】
【０００２】
水晶その他の鉱石や人工石等からなる複数の玉を連結して数珠状に形成されたブレスレットがある。こうしたブレスレットは、各玉に設けられた貫通孔に糸やゴム等を挿通させて環状に構成され、所有者が手首に装着することによりファッションとして楽しんだり、あるいは石が持っているとされる魔除けや開運などの効用を享受しようとするものである。
【考案の開示】
【考案が解決しようとする課題】
【０００３】
こうしたブレスレットには、家族や友人等の間で、複数の人物が同種の石を用いて作製されたものを所有している場合に、誰のものであるのか区別がつきにくいという問題があった。
【０００４】
すなわち、例えばメノウのように模様のある宝石を玉として用いた場合には、模様を手がかりに区別することも考えられるが、それでも一見して誰のものであるかを見分けることは困難である。また、玉にインクで氏名を記入することも可能ではあるが、ブレスレットの装飾性を損なうことになり、望ましいとはいえない。
この点に鑑み、本考案は、装飾性を損なうことなく所有者を容易に区別することの可能なブレスレットを提供しようとするものである。
【課題を解決するための手段】
【０００５】
前述の目的を達するため、本考案によるブレスレットは、天然石または人工石または木材からなる複数の玉を連結して構成され、玉のうち１つの表面上に文字が表示されることを特徴とする。
【０００６】
また、このブレスレットにおいて、複数の玉は各々貫通孔を有し、この貫通孔に挿通された伸縮性を有する紐体により環状に連結される。
このブレスレットにおいて、複数の玉のうち所定の位置に配置された玉は異なる大きさおよび／または色を有していてもよい。
【考案の効果】
【０００７】
本考案のブレスレットによれば、１個の玉の表面上に名前などの文字を表示することにより、所有者を間違いなく区別することができる。
【考案を実施するための最良の形態】
【０００８】
以下、本考案の実施形態を図面を参照して説明する。
図１に示すのは、本考案の一実施形態によるブレスレットである。図示するように、ブレスレット１００は複数の玉を連結して環状に形成される。連結される玉の大きさは例えば２種類であり、図１の実施形態では相対的に小さい複数の玉２０と、相対的に大きい１つの玉３０とが用いられている。これらの玉の材質は、天然石、人工石または木材である。
【０００９】
図２（ａ）〜（ｃ）に示すのは、このうち大きいほうの玉３０である。図２（ａ）においては、玉３０の表面に「鈴木」という姓の表示４０１が施されている。表示４０１は玉３０の表面に彫刻してもよいし、印刷することも可能である。同様に、図２（ｂ）に示すように玉３０の表面に名の表示４０２を施してもよい。また、図示しないが、氏名に限らず所有者の好みの文字を彫刻または印刷することもできる。
【００１０】
図２（ｃ）に破線で示すように、玉３０は中心部分に貫通孔６０を有する。図示しない複数の玉２０も、同様に貫通孔６０を有するものとする。図３に示すように、これらの貫通孔６０に点線で表される伸縮性の紐５０を挿通させ、紐５０の両端を結び合わせることによって、玉２０および玉３０を連結して環状のブレスレット１００とする。紐５０に伸縮性のものを用いることにより、様々な太さの手首に対応することができる。
【００１１】
図４に示すのは、本考案の別の実施形態によるブレスレットである。先に説明したブレスレット１００と同様、ブレスレット１０１も複数の玉を連結して環状に形成されている。ブレスレット１０１においては、連結される玉の大きさは３種類であり、２つの小さい玉２０１と、複数の中程度の大きさの玉２０２と、１つの大きい玉３０とが用いられている。
【００１２】
玉２０１にはその他の玉２０２および３０とは異なる種類の石を用いてもよい。したがって、一例として、玉２０１には不透明で模様のある石を使用し、玉２０２および３０には透明な石を使用することも可能である。玉２０１をブレスレット１０１の適当な位置に配置することによって、玉２０１をブレスレット１０２の外観のアクセントとすることができる。
【００１３】
以上、本考案の実施形態を説明したが、本考案によるブレスレットはこれらの実施形態に限られず、例えば玉の数や材質、大きさ等を様々に変更して実施することが可能であることは言うまでもない。
【図面の簡単な説明】
【００１４】
【図１】本考案の一実施形態によるブレスレットの斜視図。
【図２】（ａ）および（ｂ）は本考案の一実施形態によるブレスレットの大玉の拡大正面図。
【図３】本考案の一実施形態によるブレスレットの構成を説明する斜視図。
【図４】本考案の別の実施形態によるブレスレットの斜視図。
【符号の説明】
【００１５】
１００  ブレスレット
２０，３０  玉
【図１】
0003146153.tif 000003
【図２】
0003146153.tif 000004
【図３】
0003146153.tif 000005
【図４】
0003146153.tif 000006